(57)【要約】【課題】機器種類に応じた論理アドレスの数に上限が設けられている音響映像機器システムにおいて、機器種類に応じた論理アドレスを取得できなかった音響映像機器がリピータ機器を介してテレビジョン装置に接続されている場合でも、論理アドレスに空きができたときにそれを取得させる。【解決手段】リピータ機器を介して複数の音響映像機器が接続される音響映像機器システムにおけるテレビジョン受信装置であって、音響映像機器システムからの音響映像機器の切断を検出する切断検出手段と、機器種類に応じた論理アドレスを取得していない音響映像機器を検出する機器検出手段と、切断検出手段によって音響映像機器の切断を検出した場合に、機器検出手段によって検出された音響映像機器に対して、論理アドレスを取得させる制御を行う制御手段と、を有する。【選択図】図３
2010081238.tif 000002
【特許請求の範囲】
【請求項１】
音響映像機器システムにおける通信制御装置であって、
前記音響映像機器システムでは、前記通信制御装置の入力端子に複数の入力端子を有するリピータ機器が接続され、さらに該リピータ機器の入力端子に複数の音響映像機器が接続されており、また音響映像機器に対して機器種類に応じた論理アドレスが割り当てられ、前記論理アドレスは機器種類ごとに割当可能な数に上限が定められており、前記上限を超える数の音響映像機器が接続された場合は機器種類に応じた論理アドレスが割り当てられないものであり、
前記機器種類に応じた論理アドレスを取得していない音響映像機器を検出する機器検出手段と、
前記音響映像機器システムからの音響映像機器の切断を検出する切断検出手段と、
前記切断検出手段によって音響映像機器の切断を検出した場合に、前記機器検出手段によって検出された音響映像機器に対して、論理アドレスを取得させる制御を行う制御手段と、を有する通信制御装置。
【請求項２】
前記切断検出手段は、論理アドレスが割り当てられた音響映像機器の接続状況を定期的に確認することによって、音響映像機器の切断を検出する
請求項１に記載の通信制御装置。
【請求項３】
前記機器検出手段は、音響映像機器からの論理アドレス取得要求に対する失敗通知を検出することによって、機器種類に応じた論理アドレスを取得していない音響映像機器を検出する
請求項１または２に記載の通信制御装置。
【請求項４】
前記制御手段は、前記リピータ機器の電源を一旦オフにした後、再度オンにすることによって、前記機器検出手段によって検出された音響映像機器に対して、論理アドレスを取得させる
請求項１〜３のいずれか１項に記載の通信制御装置。
【請求項５】
前記制御手段は、論理アドレスを取得させる制御を行う際に、リピータ機器の動作状態を確認し、再生動作中でない場合に、論理アドレスを取得させる制御を行う
請求項４記載の通信制御装置。
【請求項６】
前記制御手段は、前記機器検出手段によって検出された音響映像機器の電源を一旦オフにした後、再度オンにすることによって、該音響映像機器に対して、論理アドレスを取得させる
請求項１〜３のいずれか１項に記載の通信制御装置。
【請求項７】
前記音響映像機器システムは、ＨＤＭＩ規格に準拠したシステムであり、
前記切断検出手段は、ＨＤＭＩ−ＣＥＣのPingメッセージを前記機器種類に対応した論理アドレス宛に送信し、これに対する応答に基づいて、前記音響映像機器システムからの音響映像機器の切断を検出する
請求項２記載の通信制御装置。
【請求項８】
前記音響映像機器システムは、ＨＤＭＩ規格に準拠したシステムであり、
前記制御手段は、前記リピータ機器が接続されているＨＰＤラインを、一度ローにした後再度ハイにすることによって、前記機器検出手段によって検出された音響映像機器に論理アドレスを取得させる
ことを特徴とする請求項４または５記載の通信制御装置。
【請求項９】
前記音響映像機器システムは、ＨＤＭＩ規格に準拠したシステムであり、
前記制御手段は、前記リピータ機器に対して、前記機器検出手段によって検出された音響映像機器が接続されているＨＰＤラインを、一度ローにした後再度ハイにする要求を送信することによって、該音響映像機器に論理アドレスを取得させる
請求項６に記載の通信制御装置。
【請求項１０】
テレビジョン放送信号を受信するチューナ部と、
受信したテレビジョン放送信号を表示する表示部と、
請求項１〜９のいずれか１項に記載の通信制御装置と、
を備えるテレビジョン受信装置。
【請求項１１】
音響映像機器システムにおける通信制御方法であって、
前記音響映像機器システムでは、通信制御装置の入力端子に複数の入力端子を有するリピータ機器が接続され、さらに該リピータ機器の入力端子に複数の音響映像機器が接続されており、また接続される音響映像機器に対して機器種類に応じた論理アドレスが割り当てられ、前記論理アドレスの数は機器種類ごとに割当可能な数に上限が定められており、前記上限を超える数の音響映像機器が割り当てられた場合は機器種類に応じた論理アドレスが割り当てられないものであり、
前記機器種類に応じた論理アドレスを取得していない音響映像機器を検出する機器検出工程と、
前記音響映像機器システムからの音響映像機器の切断を検出する切断検出工程と、
前記切断検出手段によって音響映像機器の切断を検出した場合に、前記機器検出手段によって検出された音響映像機器に対して、論理アドレスを取得させる制御を行う制御工程と、
を含む通信制御方法。
【発明の詳細な説明】
【技術分野】
【０００１】
本発明は、音響映像機器システムにおける通信制御装置及び通信制御方法、並びにテレビジョン受信装置に関する。
【背景技術】
【０００２】
ＨＤＭＩ（High-Definition Multimedia Interface）では、接続機器同士を認識することが可能であり、ケーブルを介して映像・音声信号を転送するだけでなく、機器の制御や機器間の連携が可能である。テレビジョン受信機（ＴＶ受信機）とハードディスクレコーダー等の録画機器が、ＨＤＭＩで接続されているシステムのデータ送受信並びに通信（非特許文献１参照）について、図１２のブロック図、図１３のタイミング図を用いて説明する。
【０００３】
まず録画機器９０２、９０３のフィジカルアドレス（物理アドレス）の取得手順について説明する。録画機器９０２、９０３がそれぞれの５ＶＰＷＲ（＋５Ｖ電源）ラインをハイにすると、ＴＶ受信機９０１はＨＰＤ（Hot-Plug Detect）ラインをハイにする。これ
により、録画機器９０２、９０３はＤＤＣ（Display Data Channel）通信可能であることが分かる。その後、録画機器９０２又は９０３はＴＶ受信機９０１のＥＤＩＤ（Extended
Display Information Data)−ＲＯＭ（図示せず）からＤＤＣ通信によりフィジカルアドレスを取得する。ＤＤＣはＶＥＳＡ（Video Electronics Standards Association）によ
って策定された規格であり、ＥＤＩＤ−ＲＯＭに格納されているディスプレイに関する情報を表示データ送信側へ通信して伝えるためものである。因みにＴＶ受信機９０１のフィジカルアドレスは0.0.0.0で固定である。録画機器９０２、９０３のフィジカルアドレス
は、ＴＶ受信機９０１の各ＨＤＭＩのポートごとに接続されている上記ＥＤＩＤ−ＲＯＭ内に規定されており、例えば1.0.0.0、2.0.0.0である。
【０００４】
続いてＴＶ受信機９０１が録画機器９０２に対して入力切替を行うと、録画機器９０２はＤＤＣ通信によりＴＶ受信機９０１のＨＤＣＰ−ＲＯＭと通信する。これにより、著作権保護に関する認証処理が行われ暗号鍵の共有が行われる。この後実際に録画機器９０２からＴＶ受信機９０１へ映像・音声データの送信が可能となる。
【０００５】
次にロジカルアドレス（論理アドレス）取得方法について説明する。取得できるロジカルアドレスはデバイスタイプごとにあらかじめ定められている（図１１参照）。例えば録画機器は「１」、「２」、「９」のいずれかである。したがって割当可能なロジカルアドレスの数は機器種類ごとに上限が定められていることになる。録画機器９０２は、自身が取得したいロジカルアドレス宛て（例えば「１」）にPollingメッセージをブロードキャ
スト送信する。このメッセージに対する応答がいずれの機器からも返ってこなければ（ＡＣＫビット＝１のままメッセージが返ってくれば）、そのロジカルアドレスが空いていると分かるため、そのロジカルアドレスを取得する。そうでなく応答が返ってきた場合（ＡＣＫビット＝０のメッセージが返ってきた場合）には、そのロジカルアドレスは既に他の機器に取得されている。その場合は、他のロジカルアドレス（例えば「２」や「９」）について同様の処理を繰り返してロジカルアドレスを取得する（例えば、特許文献１、非特許文献１参照）。上述した処理のタイミングについて図１３に示す。図１３は横軸に時間をとっており、縦軸の各処理が左から右に時系列に処理される様子を示している。
【０００６】
また、ＨＤＭＩシステムでは、複数のＨＤＭＩ入力端子を有するリピータ機器（ＡＶアンプなど）が利用される場合がある。ＨＤＭＩ−ＣＥＣでは全ての機器がバス接続される
構造のため、ＴＶ受信機にリピータ機器が接続される場合にも、ＴＶ受信機からリピータ機器に接続された機器をＣＥＣ制御可能である。したがって、このようなリピータ機器を用いることで、たとえば１つのＨＤＭＩ端子しか備えていないＴＶ受信機であっても複数台の録画機器をＣＥＣ制御することができる。
【特許文献１】特開２００７−２０２１１５号公報
【非特許文献１】High-Definition Multimedia Interface Specification 1.3a
【発明の開示】
【発明が解決しようとする課題】
【０００７】
テレビジョン受信機の入力端子にＡＶアンプなどのリピータ機器の出力端子が接続され、そのリピータ機器の入力端子に複数の録画機器の出力端子が接続されている音響映像機器システムを考える。リピータ機器の入力端子に既に３台の録画機器が接続されている場合は、４台目の録画機器がリピータ機器に接続されても、利用可能な録画機器用のロジカルアドレスが存在しないため、４台目の録画機器をロジカルアドレスが取得できない。したがって、その４台目の録画機器をＣＥＣ制御可能な状態にすることができない。
【０００８】
また、論理アドレスの取得は機器を接続したときに行われるため、３台の録画機器のうちのいずれかの接続が抜かれてロジカルアドレスに空きができたとしても、そのロジカルアドレスを４台目の録画機器が取得することもできない。
【０００９】
また、録画機器がリピータ機器を介してテレビジョン受信機に接続されている場合、すなわち、テレビジョン受信機に録画機器が直接接続されていない場合は、テレビジョン受信機から録画機器の挿抜を容易に検出することはできない。
【００１０】
これらの問題は、録画機器に限られるものではなく、その他の種類の音響映像機器（受信装置、再生装置、音響装置など）についても成り立つものである。また、ここではＨＤＭＩシステムを例に説明しているが、ＨＤＭＩシステムに限らず、機器種類（Device Type）に応じた論理アドレスの割当数に上限がある音響映像システム全般に当てはまる問題
である。
【００１１】
そこで、本発明は、機器種類に応じた論理アドレスの数に上限が設けられ、そしてテレビジョン受信機と複数の音響映像機器の間にリピータ機器が接続されている音響映像機器システムにおいて、機器種類に応じた論理アドレスを取得できなかった音響映像機器が、リピータ機器の入力端子に接続されていても、論理アドレスに空きができたときにそれを取得させることが可能なテレビジョン受信機を提供することを目的とする。
【課題を解決するための手段】
【００１２】
上述した課題を解決するために、本発明に係る通信制御装置は、
音響映像機器システムにおける通信制御装置であって、
前記音響映像機器システムでは、前記通信制御装置の入力端子に複数の入力端子を有するリピータ機器が接続され、さらに該リピータ機器の入力端子に複数の音響映像機器が接続されており、また音響映像機器に対して機器種類に応じた論理アドレスが割り当てられ、前記論理アドレスは機器種類ごとに割当可能な数に上限が定められており、前記上限を超える数の音響映像機器が接続された場合は機器種類に応じた論理アドレスが割り当てられないものであり、
前記機器種類に応じた論理アドレスを取得していない音響映像機器を検出する機器検出手段と、
前記音響映像機器システムからの音響映像機器の切断を検出する切断検出手段と、
前記切断検出手段によって音響映像機器の切断を検出した場合に、前記機器検出手段によって検出された音響映像機器に対して、論理アドレスを取得させる制御を行う制御手段
と、を有する。
【００１３】
また、本発明に係るテレビジョン受信装置は、
テレビジョン放送信号を受信するチューナ部と、
受信したテレビジョン放送信号を表示する表示部と、
上記記載の通信制御装置と、
を備える。
【００１４】
また、本発明に係る通信制御方法は、
音響映像機器システムにおける通信制御方法であって、
前記音響映像機器システムでは、通信制御装置の入力端子に複数の入力端子を有するリピータ機器が接続され、さらに該リピータ機器の入力端子に複数の音響映像機器が接続されており、また接続される音響映像機器に対して機器種類に応じた論理アドレスが割り当てられ、前記論理アドレスの数は機器種類ごとに割当可能な数に上限が定められており、前記上限を超える数の音響映像機器が割り当てられた場合は機器種類に応じた論理アドレスが割り当てられないものであり、
前記機器種類に応じた論理アドレスを取得していない音響映像機器を検出する機器検出工程と、
前記音響映像機器システムからの音響映像機器の切断を検出する切断検出工程と、
前記切断検出手段によって音響映像機器の切断を検出した場合に、前記機器検出手段によって検出された音響映像機器に対して、論理アドレスを取得させる制御を行う制御工程と、
を含む。
【発明の効果】
【００１５】
本発明によれば、機器種類に応じた論理アドレスの数に上限が設けられ、そしてテレビジョン受信機と複数の音響映像機器の間にリピータ機器が接続されている音響映像機器システムにおいて、機器種類に応じた論理アドレスを取得できなかった音響映像機器に対して、論理アドレスに空きができた時にそれを取得させることが可能となる。
【発明を実施するための最良の形態】
【００１６】
（第１の実施形態）
それでは図面を参照して本発明の第１の実施形態について説明する。
【００１７】
第１の実施形態に係る音響映像（ＡＶ）機器システムはＨＤＭＩ規格に準拠したシステムであり、その構成を図１，２に示す。本実施形態に係る音響映像機器システムでは、大略、テレビジョン受信機１０１に、４つの入力端子を備えるリピータ機器１０２が接続されている。より詳細には図１に示すように本音響映像機器システムは、テレビジョン受信装置１０１、リピータ機器１０２、録画装置１０３〜１０６、外部操作装置１０７から構成される。またテレビジョン受信装置１０１は、チューナ部１０１１、デコーダ部１０１２、表示部１０１３、アンプ部１０１４、スピーカ部１０１５、外部操作受信部１０１６、セレクタ部１０１７、通信制御部１０１８、ＥＤＩＤ−ＲＯＭ１０１９から構成される。さらに本実施形態に係る通信制御部１０１８は、図３に示すように、取得済みロジカルアドレス検出部２０１、機器管理テーブル２０２、ロジカルアドレス未取得機器検出部２０３、ロジカルアドレス再取得制御部２０４からなる。
【００１８】
＜第１の実施形態の趣旨＞
第１の実施形態では、ロジカルアドレス数の上限を超えて接続されたために、論理アドレスを取得できなかった機器を検出し、論理アドレスに空きができた時にそれを取得させる処理を、ＨＤＭＩ−ＣＥＣ規格の標準メッセージのみを用いて行う。
【００１９】
すなわち、上記録画機器１０６の論理アドレスの取得失敗検出は、録画機器の論理アドレスが既に３つ取得されていること、並びに録画機器１０６が論理アドレスを取得しようとして失敗することをＣＥＣライン上で監視することにより可能である。
【００２０】
また、録画機器の論理アドレスに空きができたことの検出は、録画機器の３つの論理アドレスに対して定期的にPingメッセージを送信して、応答ビットを確認することにより可能である。
【００２１】
さらに、テレビジョン受信装置からリピータ機器の電源をオフし、再度オンにすることにより録画機器１０６に論理アドレスを再取得させることが可能である。
【００２２】
ここで上記標準メッセージとは、メーカが独自に決めたメッセージ以外の、上記非特許文献記載の標準的なメッセージのことである。
【００２３】
また、リピータ機器１０２の入力端子に接続する機器としては、録画機器以外にも再生機器（プレイバックデバイス）等がある。しかしながら本実施形態では、録画機器の論理アドレスの上限（３台）を超えた４台目の録画機器１０６を接続する場合について説明する。
【００２４】
それでは図１のブロック図について詳細に説明する。
【００２５】
（チューナ部）
アンテナより受信されたテレビジョン放送信号は、チューナ部１０１１に入力される。チューナ部１０１１は、受信すべきチャンネルの情報（周波数、ＴＳ_ＩＤ）をＣＰＵ部
１０２１より得て、周波数を切り替えて、所望のＴＳ（トランスポートストリーム）を出力する。このＴＳデータは、ＭＵＬＴＩ２暗号方式（ARIB STD-B25第三章）によるデスクランブル処理された後、ＰＥＳ（Packetized Elementary Streams)パケットとセクションデータにデマルチプレクスされる。なお、ＰＥＳパケットには、ＭＰＥＧ−２のオーディオストリーム、ビデオストリーム等が含まれる。また、セクションデータには、番組情報伝送用のＰＳＩ（Program Specific Information）やデータ放送用のカルーセルデータ等が含まれる。上記ビデオストリーム及びオーディオストリームデータはデコーダ部１０１２へ出力され、ＰＳＩセクションは番組に関する情報を得るために必要なＳＩ(Service Information)が取得され、ＣＰＵ部１０２１に格納される。
【００２６】
（デコーダ部、表示部、アンプ部、スピーカ部、セレクタ部）
デコーダ部１０１２では、上記ビデオストリームデータに対して、「ARIB STD-B21第6
章6.1映像復号処理及び出力」に記載されているビデオ復号処理がなされ、表示部１０１
３へ出力表示される。また上記オーディオストリームデータは、「ARIB STD-B21第6章6.2音声復号処理及び出力」に記載されているオーディオ復号処理がなされ、アンプ部１０１４を介してスピーカ部１０１５より出力される。
【００２７】
また各録画装置１０３〜１０６より再生されたビデオ、オーディオデータはセレクタ部１０１７により切換されて、表示部１０１３及びアンプ部１０１４へ出力される。このセレクタ部１０１７の切換制御はＣＰＵ部１０２１によりなされる。
【００２８】
（外部操作装置、外部操作受信部）
ユーザによる録画等の操作は、リモコン等の外部操作装置１０７によりなされ、外部操作受信部１０１６で受信する。受信した信号はＣＰＵ部１０２１で検出される。
【００２９】
ＣＰＵ部１０２１は、受信したユーザ操作に基づいて、通信制御部１０１８を制御して電源制御メッセージや録画メッセージ等のＣＥＣメッセージを生成して録画装置１０３〜１０６へ送信する。
【００３０】
また逆に、録画装置１０３〜１０６から送信されたＣＥＣメッセージは通信制御部１０１８で受信され、ＣＰＵ部１０２１へ送信されてメッセージの解析がなされる。
【００３１】
（通信制御部、ＥＤＩＤ−ＲＯＭ）
通信制御部１０１８は、リピータ機器１０２からのフィジカルアドレス取得要求（５ＶＰＷＲラインをローからハイにする）に応じて、レスポンスを返信する（取得許可状態の場合ＨＰＤラインをローからハイにする、不許可の場合はローのままにする）。取得を許可する場合、リピータ機器１０２はＥＤＩＤ−ＲＯＭ１０１９とＤＤＣ通信を行い、フィジカルアドレスを取得する。フィジカルアドレスは、ＨＤＭＩ端子ごとに割り振られ、ＥＤＩＤ−ＲＯＭ１０１９内に格納されている。ただし、ＥＤＩＤ−ＲＯＭ１０１９はＨＤＭＩ端子ごとにそれぞれ持つようにしても良いし、可能であれば一つのＥＤＩＤ−ＲＯＭで切り替えを行って、複数のフィジカルアドレスを返信するようにしても良い。なお、図１はＴＶ受信機にＨＤＭＩ端子が１つしか無い場合を示している。
【００３２】
続いて録画装置１０３〜１０６は、デバイスタイプごとに割り振られたロジカルアドレス（録画機器は「１」、「２」、「９」のいずれか。図１１参照。）の中から、自身が取得したいロジカルアドレスを取得する。取得手順としては、自身が取得したいロジカルアドレス宛て（例えば「１」）にPollingメッセージをブロードキャスト送信する。このメ
ッセージに対する応答がいずれの機器からも返ってこなければ（ＡＣＫビット＝１のままメッセージが返ってくれば）、他の機器がそのロジカルアドレスをまだ取得していないことになるため、そのロジカルアドレスを取得する。そうでなく応答が帰ってきた場合（ＡＣＫビット＝０のメッセージが返ってきた場合）には、そのロジカルアドレスは既に他の機器に取得されている。そこで、それ以外のロジカルアドレス（例えば「２」や「９」）について同様の処理を繰り返してロジカルアドレスを取得する。ＣＥＣメッセージのヘッダー／データブロックの構造については後述する。
【００３３】
また、通信制御部１０１８は、上記のフィジカルアドレスおよびロジカルアドレス割り当て制御を行う以外に、ロジカルアドレスを取り損ねた機器に対してロジカルアドレスを再取得させるために、以下の構成を有する。すなわち、図３の詳細ブロック図に示すように、通信制御部１０１８は、取得済みロジカルアドレス検出部２０１、機器管理テーブル２０２、ロジカルアドレス未取得機器検出部２０３、ロジカルアドレス再取得制御部２０４を有する。
【００３４】
取得済みロジカルアドレス検出部２０１は、ＣＥＣライン上に接続され、ロジカルアドレスを取得している機器を検出する。この検出は、ＣＥＣのPollingメッセージやGive Physical Addressメッセージを「１」から「１４」の論理アドレス宛てに送信し、これに対するレスポンスを確認することにより可能である。ただし、ロジカルアドレス「０」はテレビジョン受信機、「１５」は不定に割り当てられているため除外する。この検出結果は、機器管理テーブル２０２としてメモリ（記憶手段）に格納される。機器管理テーブル２０２の例を、図５に示す。この例は、リピータ機器１０２（機器種別はオーディオシステム）の３つのＨＤＭＩ端子それぞれに録画機器（例えば録画機器１０３〜１０５）が接続されている場合を示している。録画装置用のロジカルアドレスは３つしかないため、録画装置のロジカルアドレスは既に全て取得されていることがわかる。また検出のためにGive
Physical Addressメッセージを使用した場合、図５に示すように、各ロジカルアドレス
に対応するフィジカルアドレスもわかる。
【００３５】
因みにＣＥＣは全ての機器がバス接続される構造のため、ＴＶ受信機１０１と接続機器の間にリピータ機器１０２が接続されても、上記ＣＥＣのPollingメッセージ等の通信の
妨げにはならない。また、上述したようなPollingメッセージの送信によって機器の接続
状況を確認する処理を定期的に行うことによって、ＣＥＣライン上から特定の機器が切断されたことも検出可能である。すなわち、取得済みロジカルアドレス検出部２０１は、本発明における切断検出手段に相当する。
【００３６】
ここで図４を用いてＣＥＣメッセージのヘッダー／データブロックの構造について説明する。全てのデータブロック、ヘッダーブロックは１０ビット長で基本構造は同じである。図４Ａにそのブロック構造を示す。Informationビットは８ビットあり、データ、オペ
コード、アドレス等が格納される。コントロールビットであるＥＯＭ（End of Message）、ＡＣＫ（Acknowledge）フィールドは１ブロックごとに存在する。ＥＯＭには伝送され
るべきブロックが後に続くか否かが設定されており、「０」は後にブロックが続くことを、「１」は最後のブロックであることを示している。ＡＣＫは送信先デバイスからの応答であり、当該メッセージに対して該当の場合は「０」が、非該当の場合「１」が設定されてくる。また図４Ｂにヘッダーブロックの構造を示す。ヘッダーブロックでは、８ビットのInformationビットが４ビットずつに分けられ、それぞれにInitiator、Destinationが
設定される。Initiatorにはメッセージ送信側（本実施形態においてはテレビジョン受信
装置１０１）のロジカルアドレスが設定され、Destinationには受信側（例えば録画装置
１０３〜１０６）のロジカルアドレスが設定される。
【００３７】
したがって上述したPollingメッセージにおいて、受信側のロジカルアドレスとしてDestinationアドレスに例えば「９」を設定すると、ロジカルアドレス「９」を取得済みの機器がいる場合にはＡＣＫビットが「０」に設定される。なお、実際にはInitiator側でハ
イにしたＣＥＣラインをDestination側がローに落としているが、上記のように表現する
。これにより、ロジカルアドレス「９」を取得している機器が存在することが分かる。また同様に、上述したGive Physical Addressメッセージにおいて、受信側のロジカルアド
レスとしてDestinationアドレスに例えば「９」を設定すると、次のような応答が返って
くる。すなわち、ロジカルアドレス「９」を取得済みの機器がいる場合にはＡＣＫビットが「０」に設定され、レスポンスとしてロジカルアドレス「９」の機器のフィジカルアドレスがメッセージで返信される。これにより、ロジカルアドレス「９」を取得した機器が存在することと、その機器のフィジカルアドレスが分かる。
【００３８】
因みに当該ロジカルアドレスを取得している機器がいない場合には、上記メッセージのメッセージブロックのＡＣＫビットは「１」が設定される（実際にはInitiator側でハイ
にしたＣＥＣラインがハイのままとなる）。
【００３９】
次に、ロジカルアドレス未取得機器検出部２０３は、既に同じデバイスタイプの機器により全てのロジカルアドレスが取得されているために、音響映像機器システムに接続されたにもかかわらず、ロジカルアドレスを取得できていない機器を検出する。例えば録画機器１０３〜１０５がリピータ機器１０２に接続され、既にロジカルアドレスを取得している場合に、録画機器１０６がリピータ機器１０２に接続された場合である。この検出処理は、前記機器管理テーブル２０２において、既に全てのロジカルアドレスが取得済みであるデバイスタイプを特定し、このデバイスタイプの機器がロジカルアドレスの取得に失敗することを検出することにより行う。論理アドレス取得要求に対する失敗通知、つまり、ブロードキャストされたPollingメッセージに対してＡＣＫビット「０」が帰ってくるこ
とを検出することにより、論理アドレス未取得機器を検出可能である。
【００４０】
あるいは、ロジカルアドレス未取得機器検出部２０３は、次のようにしてロジカルアドレスを取得できていない機器を検出しても良い。すなわち、ある機器が特定のデバイスタ
イプのロジカルアドレスに対してPollingメッセージやGive Physical Addressメッセージを順に送信したが、全てのアドレスについてＡＣＫビット「０」が帰ってくることを検出しても良い。たとえば、ロジカルアドレス「１」「２」「９」に順にPollingメッセージ
を送信したが、その全てについてＡＣＫビット「０」が帰ってきた場合を、このメッセージを送信した機器はロジカルアドレスを取得できなかったと分かる。
【００４１】
そしてロジカルアドレス再取得制御部２０４は、取得済みロジカルアドレス検出部２０１によって、例えば録画機器１０３〜１０５のいずれかの切断が検出された場合に、上記ロジカルアドレス未取得機器検出部２０３において検出されたロジカルアドレス未取得機器（例えば録画機器１０６）に対して、ロジカルアドレスを再取得させる制御を行う。この再取得制御は、ロジカルアドレス未取得機器が接続されている機器（例えばリピータ機器１０２）の電源を一旦オフした後に再度オンすることにより可能である。
【００４２】
（ロジカルアドレス再取得制御処理）
次に、デバイスタイプに応じたロジカルアドレスを取り損ねた機器があった場合における通信制御部１０１８の処理の流れを図６のフローチャートを参照して説明する。この処理は、テレビジョン受信装置１０１に電源が投入されたタイミング、あるいは、所定の間隔で実行が開始される。
【００４３】
通信制御部１０１８は、取得済みロジカルアドレス検出部２０１により、ロジカルアドレスが全て取得済みのデバイスタイプ（ＯＤＴとする）を検出する（ステップＳ６０１）。これは、上述したように、ロジカルアドレス１から１４に対してPingメッセージやGive
Physical Addressコマンドを送信し、応答を監視することにより検出可能である。
【００４４】
次に通信制御部１０１８は、ロジカルアドレス未取得機器検出部２０３により、デバイスタイプＯＤＴの新たな機器（ＮＤとする）のリピータ機器１０２への接続を検出する（ステップＳ６０２）。これは、上述したように、新たな接続機器によるPollingメッセー
ジのブロードキャストとそれに対する応答（ロジカルアドレス取得失敗）を監視することにより検出可能である。
【００４５】
そして、通信制御部１０１８は、取得済みロジカルアドレス検出部２０１により、デバイスタイプＯＤＴの機器の切断を検出する（ステップＳ６０３）。これは、上述したように、デバイスタイプＯＤＴのロジカルアドレスに対してPingメッセージを送信し、その応答を監視することにより検出可能である。
【００４６】
その後、通信制御部１０１８は、ロジカルアドレス再取得制御部２０４により、機器ＮＤにロジカルアドレスを再取得させる（Ｓ６０４）。これは上述したように、機器ＮＤが接続されているリピータ機器１０２の電源をオフした後にオンすることで機器ＮＤとリピータ機器１０２間のＨＰＤ信号をディアサートすることにより可能である。
【００４７】
一方、ステップＳ６０１において、ロジカルアドレスが全て取得済みのデバイスタイプＯＤＴが検出されなかった場合には、本ロジカルアドレス再取得制御処理は終了する。
【００４８】
本実施形態によれば、リピータの入力端子に接続され、ロジカルアドレスを取り損ねていずれのロジカルアドレスも取得していない音響映像機器に対して、ロジカルアドレスに空きができた時に、それを取得させることができる。これにより、その音響映像機器をＣＥＣ制御可能な状態とすることができる。
【００４９】
（第２の実施形態）
続いて第２の実施形態について説明する。
【００５０】
＜第２の実施形態の趣旨＞
上記第１の実施形態では、ロジカルアドレス未取得機器にロジカルアドレスを再取得させるために、リピータ機器１０２の電源をオフした後にオンする処理を行う。第２の実施形態においても、ロジカルアドレス未取得機器にロジカルアドレスを再取得させるために、リピータ機器１０２の電源をオフした後にオンする処理を行う点は同じであるが、以下の点で相違する。つまり、リピータ機器１０２の電源をオフする前に、リピータ機器１０２が再生中であるか否かを確認し、再生中でない、もしくは再生が終了したことを確認後にリピータ機器１０２の電源をオフ・オンする。
【００５１】
このようにすることにより、ユーザがリピータ機器１０２の入力端子に録画機器等を挿抜操作した際、リピータ機器１０２が音楽再生中に電源オフされることを回避することが可能となる。
【００５２】
本実施形態に係るテレビジョン受信装置１０１の基本的な構成は、第１の実施形態と同様（図１）であるため説明を省略する。
【００５３】
本実施形態では、通信制御部１０１８の構成のみが第１の実施形態と異なるため、図７のフロー図、図８のブロック図を参照して説明する。
【００５４】
図８に示すように通信制御部１０１８は、取得済みロジカルアドレス検出部８０１、機器管理テーブル８０２、ロジカルアドレス未取得機器検出部８０３、ロジカルアドレス再取得制御部８０４、機器動作状態検出部８０５から構成される。
【００５５】
以下、本実施形態における通信制御部１０１８が行うロジカルアドレス再取得制御の処理について図７のフロー図を参照して説明する。なお、この処理は、テレビジョン受信装置１０１に電源が投入されたタイミング、あるいは、所定の間隔で実行が開始される。
【００５６】
通信制御部１０１８は、取得済みロジカルアドレス検出部２０１により、ロジカルアドレスが全て取得済みのデバイスタイプＯＤＴを検出する（ステップＳ７０１）。これは、第１の実施形態同様に、ロジカルアドレス１から１４に対してPingメッセージやGive Physical Addressコマンドを送信し、応答を監視することにより検出可能である。
【００５７】
次に通信制御部１０１８は、ロジカルアドレス未取得機器検出部２０３により、デバイスタイプＯＤＴの新たな機器ＮＤのリピータ機器１０２への接続を検出する（ステップＳ７０２）。これは、第１の実施形態同様に、新たな接続機器によるPollingメッセージの
ブロードキャストとそれに対する応答（ロジカルアドレス取得失敗）を監視することにより検出可能である。
【００５８】
そして、通信制御部１０１８は、取得済みロジカルアドレス検出部２０１により、デバイスタイプＯＤＴの機器の切断を検出する（ステップＳ７０３）。これは、第１の実施形態同様に、デバイスタイプＯＤＴのロジカルアドレスに対してPingメッセージを送信し、その応答を監視することにより検出可能である。
【００５９】
ここで、通信制御部１０１８は、機器動作状態検出部８０５により、リピータ機器１０２が再生動作中であるか否かを検出する（ステップＳ７０４）。これは、例えばＣＥＣのGive Audio Statusコマンドを送信し、その応答により検出することが可能である。
【００６０】
そしてリピータ機器１０２が再生中でなかったら、通信制御部１０１８は、ロジカルアドレス再取得制御部８０４により、機器ＮＤにロジカルアドレスを再取得させる（Ｓ７０
５）。これは第１の実施形態同様に、機器ＮＤが接続されているリピータ機器１０２の電源をオフした後にオンすることで機器ＮＤとリピータ機器１０２間のＨＰＤ信号をディアサートすることにより可能である。
【００６１】
他方、リピータ機器１０２が再生中であったなら、通信制御部１０１８は、ロジカルアドレス再取得制御部８０４により、リピータ機器１０２が再生中でなくなるまで監視する。そして、再生中でなくなったら、上記ロジカルアドレス再取得制御部８０４により、機器ＮＤにロジカルアドレスを再取得させる。
【００６２】
一方、ステップＳ７０１において、ロジカルアドレスが全て取得済みのデバイスタイプＯＤＴが検出されなかった場合には、本ロジカルアドレス再取得制御処理は終了する。
【００６３】
本実施形態によれば、リピータの入力端子に接続され、ロジカルアドレスを取り損ねていずれのロジカルアドレスも取得していない音響映像機器に対して、ロジカルアドレスに空きができた時に、それを取得させることができる。これにより、その音響映像機器をＣＥＣ制御可能な状態とすることができる。また、さらに本実施形態によれば、リピータ機器１０２が再生中であるか否かを確認した上でリピータの電源をオフするため、リピータ機器１０２が音楽再生中に電源オフされることを回避することが可能となる。
【００６４】
（第３の実施形態）
続いて第３の実施形態について説明する。
【００６５】
＜第３の実施形態の趣旨＞
上記第１の実施形態では、ロジカルアドレス数の上限を超えて接続されたために、論理アドレスを取得できなかった機器を検出し、論理アドレスに空きができた時にそれを取得させる処理を、ＨＤＭＩ−ＣＥＣ規格の標準メッセージのみを用いて行った。第３の実施形態においては、上記処理をＣＥＣのベンダー独自コマンドを用いて行う。この場合テレビジョン受信装置１０１、リピータ機器１０２、録画装置１０３〜１０６が共にベンダーユニークなコマンドに対応していることが必要になる。
【００６６】
このようにすることにより、ロジカルアドレスを取り損ねていずれのロジカルアドレスも取得していない音響映像機器に対して、ロジカルアドレスに空きができた時に、それを取得させる際に、リピータ機器１０２の電源をオフする必要がなくなる。
【００６７】
本実施形態に係るテレビジョン受信装置１０１の基本的な構成は、第１の実施形態と同様（図１）であるため説明を省略する。
【００６８】
第３の実施形態では、通信制御部１０１８の構成のみが第１の実施形態と異なるため、図９のフロー図、図１０のブロック図を参照して説明する。
【００６９】
図１０に示すように通信制御部１０１８は、接続状態検出部１００１、機器管理テーブル１００２、ロジカルアドレス未取得機器検出部１００３、ロジカルアドレス再取得制御部１００４から構成される。
【００７０】
以下、本実施形態における通信制御部１０１８が行うロジカルアドレス再取得制御の処理について図９のフロー図を参照して説明する。なお、この処理は、テレビジョン受信装置１０１に電源が投入されたタイミング、あるいは、所定の間隔で実行が開始される。
【００７１】
通信制御部１０１８は、接続状態検出部１００１により、リピータ機器１０２の各入力端子の接続状態を検出する（ステップＳ９０１）。これは、テレビジョン受信装置１０１か
らリピータ機器１０２に、各入力端子の接続状態を検出するＣＥＣメッセージを送信し、応答を受信することにより検出可能である。
【００７２】
次に通信制御部１０１８は、ロジカルアドレス未取得機器検出部１００３により、デバイスタイプＯＤＴの新たな機器ＮＤのリピータ機器１０２への接続を検出する（ステップＳ９０２）。具体的には、上記ステップＳ９０１で検出したリピータ機器１０２の各ＨＤＭＩ入力端子接続状態と、テレビジョン受信装置１０１の各ＨＤＭＩ入力端子の接続状態の両方から全てのＨＤＭＩ入力端子の管理を行う。そして、新たな接続機器によるPollingメッセージのブロードキャストとそれに対する応答（ロジカルアドレス取得失敗）を監
視することにより検出可能である。
【００７３】
そして、通信制御部１０１８は、接続状態検出部１００１により、デバイスタイプＯＤＴの機器の切断を検出する（ステップＳ９０３）。これは、テレビジョン受信装置１０１からリピータ機器１０２に、リピータ機器１０２の各ＨＤＭＩ入力端子の接続状態を取得するＣＥＣメッセージを送信し、この応答からデバイスタイプＯＤＴの機器の切断を検出可能である。
【００７４】
その後、通信制御部１０１８は、ロジカルアドレス再取得制御部１００４により、機器ＮＤにロジカルアドレスを再取得させる（Ｓ９０４）。これはテレビジョン受信装置１０１からリピータ機器１０２に対してＨＰＤをディアサート（一度ローにした後再度ハイにする）させるＣＥＣメッセージ、あるいは、ロジカルアドレス再取得メッセージを送信することにより可能である。
【００７５】
一方、ステップＳ９０２において、ロジカルアドレスが全て取得済みのデバイスタイプＯＤＴの新たな機器ＮＤのリピータ機器１０２への接続が検出されなかった場合には、本ロジカルアドレス再取得制御処理は終了する。
【００７６】
本実施形態によれば、リピータの入力端子に接続され、ロジカルアドレスを取り損ねていずれのロジカルアドレスも取得していない音響映像機器に対して、ロジカルアドレスに空きができた時に、それを取得させることができる。これにより、その音響映像機器をＣＥＣ制御可能な状態とすることができる。またさらに本実施形態によれば、リピータ機器１０２の電源をオフ・オンすること無しにロジカルアドレスの再取得が可能となる。
【図面の簡単な説明】
【００７７】
【図１】本発明の実施形態に係る全体構成を説明するためのブロック図である。
【図２】本発明の実施形態におけるテレビジョン受信装置と周辺機器との接続部分を説明するための図である。
【図３】第１の実施形態に係る通信制御部について説明するためのブロック図である。
【図４】ＣＥＣメッセージのヘッダー／データブロックの構造を示す図であり、図４Ａはヘッダー/データブロックに共通の基本構造、図４Ｂはヘッダブロックの詳細な構造を示す図である。
【図５】各ＨＤＭＩ端子に接続されている機器のロジカルアドレス、フィジカルアドレス、デバイスタイプを管理する機器管理テーブルについて説明するための図である。
【図６】第１の実施形態に係る通信制御部によるロジカルアドレス再取得制御処理を示すフローチャートである。
【図７】第２の実施形態に係る通信制御部によるロジカルアドレス再取得制御処理を示すフローチャートである。
【図８】第２の実施形態に係る通信制御部について説明するためのブロック図である
【図９】第３の実施形態に係る通信制御部によるロジカルアドレス再取得制御処理を示すフローチャートである。
【図１０】第３の実施形態に係る通信制御部について説明するためのブロック図である
【図１１】ＨＤＭＩ規格における機器種類に応じて定められている論理アドレスを示す図である。
【図１２】ＨＤＭＩ接続されているシステムにおける通信についての従来技術を説明するためのブロック図である。
【図１３】ＨＤＭＩ接続されているシステムにおける通信についての従来技術を説明するためのタイミング図である。
【符号の説明】
【００７８】
１０１  テレビジョン受信装置
１０２  リピータ
１０３、１０４、１０５、１０６  録画装置
１０１８  通信制御部
２０１、８０１  取得済みロジカルアドレス検出部
２０２、８０２、１００２  機器管理テーブル
２０３、８０３、１００３  ロジカルアドレス未取得機器検出部
２０４、８０４、１００４  ロジカルアドレス再取得制御部
８０５  機器動作状態検出部
１００１  接続状態検出部
【図１】
2010081238.tif 000003
【図２】
2010081238.tif 000004
【図３】
2010081238.tif 000005
【図４】
2010081238.tif 000006
【図５】
2010081238.tif 000007
【図６】
2010081238.tif 000008
【図７】
2010081238.tif 000009
【図８】
2010081238.tif 000010
【図９】
2010081238.tif 000011
【図１０】
2010081238.tif 000012
【図１１】
2010081238.tif 000013
【図１２】
2010081238.tif 000014
【図１３】
2010081238.tif 000015
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
音響映像機器システムにおける通信制御装置であって、
前記音響映像機器システムでは、前記通信制御装置の入力端子に複数の入力端子を有するリピータ機器が接続され、さらに該リピータ機器の入力端子に複数の音響映像機器が接続されており、また音響映像機器に対して機器種類に応じた論理アドレスが割り当てられ、前記論理アドレスは機器種類ごとに割当可能な数に上限が定められており、前記上限を超える数の音響映像機器が接続された場合は機器種類に応じた論理アドレスが割り当てられないものであり、
前記機器種類に応じた論理アドレスを取得していない音響映像機器を検出する機器検出手段と、
前記音響映像機器システムからの音響映像機器の切断を検出する切断検出手段と、
前記切断検出手段によって音響映像機器の切断を検出した場合に、前記機器検出手段によって検出された音響映像機器に対して、論理アドレスを取得させる制御を行う制御手段と、を有する通信制御装置。
【請求項２】
前記切断検出手段は、論理アドレスが割り当てられた音響映像機器の接続状況を定期的に確認することによって、音響映像機器の切断を検出する
請求項１に記載の通信制御装置。
【請求項３】
前記機器検出手段は、音響映像機器からの論理アドレス取得要求に対する失敗通知を検出することによって、機器種類に応じた論理アドレスを取得していない音響映像機器を検出する
請求項１または２に記載の通信制御装置。
【請求項４】
前記制御手段は、前記リピータ機器の電源を一旦オフにした後、再度オンにすることによって、前記機器検出手段によって検出された音響映像機器に対して、論理アドレスを取得させる
請求項１〜３のいずれか１項に記載の通信制御装置。
【請求項５】
前記制御手段は、論理アドレスを取得させる制御を行う際に、リピータ機器の動作状態を確認し、再生動作中でない場合に、論理アドレスを取得させる制御を行う
請求項４記載の通信制御装置。
【請求項６】
前記制御手段は、前記機器検出手段によって検出された音響映像機器の電源を一旦オフにした後、再度オンにすることによって、該音響映像機器に対して、論理アドレスを取得させる
請求項１〜３のいずれか１項に記載の通信制御装置。
【請求項７】
前記音響映像機器システムは、ＨＤＭＩ規格に準拠したシステムであり、
前記切断検出手段は、ＨＤＭＩ−ＣＥＣのPingメッセージを前記機器種類に対応した論理アドレス宛に送信し、これに対する応答に基づいて、前記音響映像機器システムからの音響映像機器の切断を検出する
請求項２記載の通信制御装置。
【請求項８】
前記音響映像機器システムは、ＨＤＭＩ規格に準拠したシステムであり、
前記制御手段は、前記リピータ機器が接続されているＨＰＤラインを、一度ローにした後再度ハイにすることによって、前記機器検出手段によって検出された音響映像機器に論理アドレスを取得させる
ことを特徴とする請求項４または５記載の通信制御装置。
【請求項９】
前記音響映像機器システムは、ＨＤＭＩ規格に準拠したシステムであり、
前記制御手段は、前記リピータ機器に対して、前記機器検出手段によって検出された音響映像機器が接続されているＨＰＤラインを、一度ローにした後再度ハイにする要求を送信することによって、該音響映像機器に論理アドレスを取得させる
請求項６に記載の通信制御装置。
【請求項１０】
テレビジョン放送信号を受信するチューナ部と、
受信したテレビジョン放送信号を表示する表示部と、
請求項１〜９のいずれか１項に記載の通信制御装置と、
を備えるテレビジョン受信装置。
【請求項１１】
音響映像機器システムにおける通信制御方法であって、
前記音響映像機器システムでは、通信制御装置の入力端子に複数の入力端子を有するリピータ機器が接続され、さらに該リピータ機器の入力端子に複数の音響映像機器が接続されており、また接続される音響映像機器に対して機器種類に応じた論理アドレスが割り当てられ、前記論理アドレスの数は機器種類ごとに割当可能な数に上限が定められており、前記上限を超える数の音響映像機器が割り当てられた場合は機器種類に応じた論理アドレスが割り当てられないものであり、
前記機器種類に応じた論理アドレスを取得していない音響映像機器を検出する機器検出工程と、
前記音響映像機器システムからの音響映像機器の切断を検出する切断検出工程と、
前記切断検出工程において音響映像機器の切断を検出した場合に、前記機器検出工程において検出された音響映像機器に対して、論理アドレスを取得させる制御を行う制御工程と、
を含む通信制御方法。